(57)【特許請求の範囲】
【請求項１】
開口部の上端から外鍔状に周設されたフランジ（５）を有する容器本体（２）と、
該フランジ（５）に組み付く支持枠（１１）と、
該支持枠（１１）に組み付く外縁部（１３）を有し該開口部を閉塞する蓋体（１）とを備えた閉蓋具付き容器であって、
該支持枠（１１）の頂壁に弾性体（２０）を配し、該蓋体（１）を上方に持ち上げるように付勢すると共に、
該蓋体（１）の外周に垂下設された遮蔽壁（１２）に設けたつまみ部（１７）の裏側のつまみ係止片（１８）が、該支持枠（１１）の外周壁（２２）に乗り越え係止していることを特徴とする閉蓋具付き容器。
【請求項２】
前記蓋体（１）は、前記容器本体（２）の開口部を閉塞する蓋板（１０）と、前記外縁部（１３）から前記遮蔽壁（１２）にかけて弱化部（１６）を介して毟り取り可能に連結しているバージン部（１４）を配設している請求項１に記載の閉蓋具付き容器。
【請求項３】
前記バージン部（１４）の直下部の支持枠（１１）に、バージン部（１４）を毟り取る際に蓋体（１）の開放を抑制する蓋係止片（２４）を配設した請求項１又は２に記載の閉蓋具付き容器。
【請求項４】
前記つまみ部（１７）の上方に開口部（１９）を配設した請求項１〜３のいずれかに記載の閉蓋具付き容器。
【請求項５】
前記弾性体（２０）が板バネである請求項１〜４のいずれかに記載の閉蓋具付き容器。
【発明の詳細な説明】
【技術分野】
【０００１】
本発明は、閉蓋具付き容器に関し、特に子供等がいたずらに蓋体を開けることを防止できるチャイルドレジスタンス機能を有した閉蓋具付き容器に関する。
【背景技術】
【０００２】
従来の容器は、使用したい時に直ぐに蓋体を取り外せるように、単純な嵌合構造を有するものが多く、蓋体の取り外し易さと装着し易さに着眼したものが多かった（例えば、特許文献１参照）。しかしながら、このように蓋体の取り外し易さと装着し易さのみに重点をおいたため、結果的に蓋体を引っ張る操作だけで、誰にでも蓋体を簡単に取り外すことができ、内容物の取り出しが自由に行えるようになってしまっている。
【０００３】
使用者が収納又は充填される内容物の特性を十分に理解している通常の使用状況においては、このような蓋体の取り外し易さは便利なものであってなんら問題は無く、とても望ましい形態である。しかしながら、収納又は充填される内容物の特性を十分に理解しえない者でも簡単に蓋体の取り外しが行えるという懸念点も併せ持つことになる。
【０００４】
すなわち、例えば幼児等の子供が周囲の大人のしぐさをまねて、中身の内容物の危険度を理解しないままに、容器の蓋体を外し、内容物にいたずらをすることが起こりうる。
【０００５】
こうした問題に対応するために充填する容器又はその蓋体に、子供では容易に取り外しのできない機能、即ち、所謂チャイルドレジスタンス機能を付与することが求められている。このチャイルドレジスタンス機能を有する閉蓋具付き容器は、例えば、従来技術である容器の蓋体が、ただ単に蓋体と容器の本体を引き離す方向に蓋体を引っ張る操作だけで取り外せるのに対し、ただ蓋体を引っ張る操作だけでは蓋体を取り外せず、蓋体を引っ張る前に又は同時に蓋体を引っ張るのとは別の操作を蓋体等に対して行い、それによって蓋体を取り外すように構成された閉蓋具付き容器である。
【０００６】
そのとき、このチャイルドレジスタンス機能のための蓋体等に対して行われる操作は、従来の閉蓋具における蓋体取り外し操作に比べ、複雑になり過ぎず、従来の蓋体の取り外しの容易さは十分確保すると共に、子供らのいたずらによる取り外しの試みに対しては十分その防止をできるものでなければならない。
【先行技術文献】
【特許文献】
【０００７】
【特許文献１】実開平３−１７０５６号公報
【発明の概要】
【発明が解決しようとする課題】
【０００８】
本発明の目的は、上記の課題を解決した新規な閉蓋具付き容器を提供することであり、即ち、従来の蓋体の取り外しの容易さは十分確保するとともに、子供等のいたずらによる取り外しの試みに対しては十分その防止ができるチャイルドレジスタンス機能を有する閉蓋具付き容器を提供することである。
【課題を解決するための手段】
【０００９】
上記課題の解決手段として、本発明に係る閉蓋具付き容器は、
開口部の上端から外鍔状に周設されたフランジを有する容器本体と、
該フランジに組み付く支持枠と、
該支持枠に組み付く外縁部を有し該開口部を閉塞する蓋体とを備え、
該支持枠の頂壁に弾性体を配し、該蓋体を上方に持ち上げるように付勢すると共に、
該蓋体の外周に垂下設された遮蔽壁に設けたつまみ部の裏側のつまみ係止片が、該支持枠の外周壁に乗り越え係止している。
【００１０】
この構成では、蓋体を開放するためには、弾性体による蓋体を上方に持ち上げる付勢を押さえ付ける操作と、つまみ係止片が外周壁を乗り越える引っ張る操作の２つの操作が必要となるため、子供等のいたずらによる取り外しの試みに対しては十分対応可能である。また、従来の蓋体の取り外しの容易さは十分達成される。
【００１１】
また、本発明に係る別の閉蓋具付き容器において、蓋体は、容器本体の開口部を閉塞する蓋板と、外縁部から遮蔽壁にかけて弱化部を介して毟り取り可能に連結しているバージン部を配設する構成としている。
【００１２】
上記構造では、毟り取り可能に連結しているバージン部を設けているため、容器の不正な開封を確実に防止することが可能である。
【００１３】
また、本発明に係る別の閉蓋具付き容器において、バージン部の直下部の支持枠に、バージン部を毟り取る際に蓋体の開放を抑制する蓋係止片を配設した。
【００１４】
上記構造では、バージン部を毟り取る際に蓋体の開放を抑制することができる。
【００１５】
また、本発明に係る別の閉蓋具付き容器において、つまみ部の上方に開口部を配設している。
【００１６】
上記構造では、つまみ部の上方に開口部を有していることによって、つまみ部を水平方向に引っ張った時につまみ部近傍が撓み・変形し易くなり、外周壁からつまみ係止片が離脱し易くなる。
【００１７】
また、本発明に係る別の閉蓋具付き容器において、弾性体が板バネである。
【００１８】
上記構造では、支持枠と一体成形でき製造コストが安く、また構造が簡素であるため構造に起因するトラブルも殆ど生じることがない。
【発明の効果】
【００１９】
本発明の上記した構成においては、以下に示す効果を奏する。
本発明では、蓋体を開放するためには、弾性体による蓋体を上方に持ち上げる付勢を押さえ付ける操作と、つまみ係止片が外周壁を乗り越える引っ張る操作の２つの操作が必要となるため、子供等のいたずらによる取り外しの試みに対しては十分防止できるチャイルドレジスタンス機能が達成され、子供等が内容物を誤って口にしてしまうのを抑制することができる。また、従来の蓋体の取り外しの容易さは十分確保できる。
【００２０】
また、本発明は、バージン部を有しているため容器の不正な開封を確実に防止することが可能である。更に、バージン部の直下部の支持枠に蓋係止片を備えているため、バージン部を毟り取る際に蓋体の開放を抑制することができる。
【００２１】
また更に、本発明では、つまみ部上方の開口部によって、つまみ部を水平方向に引っ張った時につまみ部近傍が撓み・変形し易くなり、外周壁からつまみ係止片が離脱し易くなっている。
【図面の簡単な説明】
【００２２】
【図１】本発明に係る閉蓋具付き容器の実施形態を示す上面図（ａ）、半縦断正面図（ｂ）である。
【図２】図１のＡ-Ａ”断面における縦断面図である。
【図３】Ａ-Ａ”断面における係止部の部分縦断面図である。
【図４】Ａ-Ａ”断面における係止部での蓋体を開放させる時の部分縦断面図である。
【発明を実施するための形態】
【００２３】
以下、本発明にかかる実施の形態について図面を参照しつつ説明する。
【００２４】
図１は本発明に係る実施形態における閉蓋具付き容器の（ａ）上面図、（ｂ）半縦断正面図であり、図２は図１のＡ-Ａ”における側面の縦断面図と部分拡大図であり、図３はＡ-Ａ”断面における係止部の部分縦断面図であり、図４はＡ-Ａ”断面における係止部での蓋体を開放させる時の部分縦断面図である。これら図中に示される実施形態での閉蓋具付き容器は、合成樹脂を射出成形することにより形成されたものであり、開口部の上端から外鍔状に周設されたフランジ５を有する容器本体２と、このフランジ５に組み付く支持枠１１と、この支持枠１１に組み付いて開口部を全体的に閉塞する蓋体１とを有して構成される。このような閉蓋具と容器本体２とからなる密封容器には、例えばフィルムによって覆われた液体を略ボール状に形成したものや粉体等の様々な形状からなる洗剤等の内容物が収納される。
【００２５】
容器本体２は、上方に向かって緩やかに拡径してその内側に空間を形作る周壁３を有し、この周壁３の下端部で底壁４と連設することによって、内容物の収納空間を形作る。周壁３は、長手方向に延在する前後周壁３ａと、短手方向に延在する左右周壁３ｂにて構成されており、その内側に矩形の横断面形状を形作る。これにより、容器本体２は有底角筒状（箱型形状）を有する。周壁３は、上端開口にて広口の筒壁の上端から外鍔状にフランジ５を周設している。
【００２６】
蓋体１は、頂部に蓋板１０を有し、その蓋板１０の外周に垂下設した遮蔽壁１２から構成されている。遮蔽壁１２は、長手方向に延在する前後遮蔽壁１２ａと、短手方向に延在する左右遮蔽壁１２ｂにて構成されている。蓋板１０には、フランジ５（支持枠１１）に沿って外縁部１３が周設されており、外縁部１３を除く中央部分に略長方形状の窪みが形成されており、外縁部１３の内縁部から第１内周壁１３ａが垂設され、外縁部１３の下面には下部凸部１３ｂが突設されている。外縁部１３から前後遮蔽壁１２ａにかけて、蓋体１の不正な開封を防止するバージン部１４が設けられ、バージン部１４には指先が滑るのを防止する滑り止め１５が表裏の両面に突設されている。バージン部１４の周縁には、開封すべくバージン部１４を毟り取るための弱化部１６が設けられている。バージン部１４近傍の前後遮蔽壁１２ａには、蓋体１を開封する際に指先を掛るつまみ部１７が垂設され、つまみ部１７の裏側には蓋体１が閉鎖しているときに容器本体側に係止するためのつまみ係止片１８が設けられている。つまみ部１７の上部にはつまみ部１７が近傍より撓んだり変形し、つまみ部１７による蓋体１の開閉がし易くなるよう開口部１９を有する。
【００２７】
支持枠１１は、容器本体２のフランジ５に組み付き、外縁部１３にて蓋体１に組み付くよう、遮蔽壁１２と第１内周壁１３ａに囲まれたコの字状の空間部に外周壁２２と第２内周壁２１を介して嵌合している。蓋体１が閉鎖時には、外周壁２２につまみ係止片１８が乗り越え係止している。支持枠１１は、フランジ５に組付くための垂下壁２３が頂壁から垂設され、垂下壁２３には蓋体１が容器本体２に係止するための蓋係止片２４が複数設けられている。支持枠１１をフランジ５に組み付けると、蓋係止片２４がフランジ５の外縁を下方に乗り越え、更にフランジ５の下端をアンダーカット状に係止することで強固に組み付けることが可能となっている。蓋係止片２４は、バージン部１４を毟り取る際に蓋体１が開放するのを抑制するため、バージン部１４の直下部に少なくとも１つ設置されることが好ましい。
【００２８】
支持枠１１の頂壁には、支持枠１１と一体成形される樹脂製の板バネの弾性体２０が設けられており、つまみ部１７近傍の蓋体１を下面から上方に持ち上げるように付勢している。この弾性体２０により蓋体１が上方に持ち上げるように付勢していることによって、つまみ部１７を水平に引っ張ってもつまみ係止片１８が外周壁２２を乗り越すことがないため、蓋体１が開放することを抑制することができる。
【００２９】
なお、蓋体１を上方に持ち上げる付勢を押さえ付ける操作時に蓋体１が下方に沈み込んでつまみ係止片１８が外周壁２２を乗り越すように、弾性体２０が当接するバージン部１４及びつまみ部１７を有する前後遮蔽壁１２ａ側には下部凸部１３ｂを設けない。
【００３０】
次に、閉蓋具付き容器の開放方法について説明する。
【００３１】
閉蓋具は、当初蓋体１の外縁部１３から前後遮蔽壁１２ａにかけて不正な開放を防止するバージン部１４が連結した状態にあり、使用者が容器を開放すべく、バージン部１４を指先で摘み上方に引き上げることにより、バージン部１４の周縁の弱化部１６が破断して、バージン部１４が蓋体１から毟り取られる。このバージン部１４を毟り取るため上方に引き上げた時に蓋体１が開放しないように、バージン部１４の直下部には蓋係止片２４が配設されている。
【００３２】
本発明の閉蓋具付き容器は、チャイルドレジスタンス機能を有するため蓋体１を開放するために２つの操作が必要となっている。まず初めに、図４中の示されるつまみ部１７上部の蓋体１の外縁部１３付近を上方から押さえ、外縁部１３の下方にある弾性体２０の板バネを撓ませて蓋体１（つまみ係止片１８）が下方に沈みこみ、外周壁２２でのつまみ係止片１８の乗り越え係止を解除状態にさせる。
【００３３】
その後、図４中の示されるつまみ部１７を水平方向に引っ張ることで外周壁２２からつまみ係止片１８が離脱することで、つまみ部１７は上方に引き上げられ蓋体１を開放することができる。
【００３４】
この様に、本発明の閉蓋具付き容器は、蓋体１を開放するために２つの操作が必要となるため、子供らのいたずらによる取り外しの試みに対しては十分対応でありつつ、従来の蓋体の取り外しの容易さは十分確保できる。
【００３５】
なお、本発明の閉蓋具付き容器においては、シール性を向上させることが可能であり、蓋体１とフランジ５の間にゴムやＯリングを配することもできる。
【００３６】
以上、実施形態に沿って本発明の構成とその作用効果について説明したが、本発明の実施の形態は上記実施形態に限定されるものではない。
【００３７】
例えば、上記実施例では、有底角筒状（箱型形状）の容器本体とこれに対応する矩形の蓋体とを用いて説明したが、本発明はこれに限られるものではなく、容器本体の形状は有底円筒状や有底楕円筒状等その他の形状でもよく、これに対応する蓋体の形状も円形や楕円状などその他の形状であってもよい。
【００３８】
また上記実施例においては容器本体の材質については特に言及していないが、例えば合成樹脂製、紙製、金属製、陶器製、ガラス製等どのような材料で形成されていてもよい。
【００３９】
また、弾性体は樹脂一枚の板でできた単板バネに限定されるものではなく、複数枚を用いた重ね板ばねや、コイルスプリング、皿バネ等であってもよく、その材質も特定されるものではない。更に、内容物は洗剤に限られるものではなく、その他芳香剤や消臭剤等であってもよい。
【産業上の利用可能性】
【００４０】
以上説明したように、本発明の閉蓋具付き容器は、子供等によるいたずらを防止するためのチャイルドレジスタンス機能を有する容器分野における用途展開をさらに広い領域で図ることができる。
【符号の説明】
【００４１】
１    ；蓋体
２    ；容器本体
３    ；周壁
３ａ  ；前後周壁（長手壁）
３ｂ  ；左右周壁（短手壁）
４    ；底壁
５    ；フランジ
１０  ；蓋板
１１  ；支持枠
１２  ；遮蔽壁
１２ａ；前後遮蔽壁（長手遮蔽壁）
１２ｂ；左右遮蔽壁（短手遮蔽壁）
１３  ；外縁部
１３ａ；第１内周壁
１３ｂ；下部凸部
１４  ；バージン部
１５  ；滑り止め
１６  ；弱化部
１７  ；つまみ部
１８  ；つまみ係止片
１９  ；開口部
２０  ；弾性体（板バネ）
２１  ；第２内周壁
２２  ；外周壁
２３  ；垂下壁
２４  ；蓋係止片
【図１】
0006292450.tif 000002
【図２】
0006292450.tif 000003
【図３】
0006292450.tif 000004
【図４】
0006292450.tif 000005